(57)【要約】【課題】搬送テープとカバーテープとで包装された市販のＲＯＭに書き込みをして再び包装する。【解決手段】供給リール１７から巻き取りリール９へ間欠的に搬送される搬送テープ２から既存のカバーテープ４を剥がして巻き取りリール２１に巻き取り、搬送テープ２の凹部２ａ内で露出させたＲＯＭ６に接触子１１を降下させ接触させてＲＯＭ６に書き込みを行ない、供給リール５から供給する新しいカバーテープ４を搬送テープ２に圧着してＲＯＭ６を再び包装し、巻き取りリール９に巻き取る。【選択図】  図１
2004168344.tif 000002
【特許請求の範囲】
【請求項１】
凹部に記録媒体が予め収容されてカバーテープが圧着された搬送テープを巻回した第１供給リールと、第１駆動手段に連動連結されると共に前記搬送テープを巻き取る第１巻き取りリールと、第２駆動手段に連動連結されると共に前記カバーテープを搬送テープから順に剥がして巻き取る第２巻き取りリールと、前記カバーテープを剥がして露出した記録媒体に書き込みを行なう書き込み手段と、書き込み後の記録媒体が収容された搬送テープの部分へ供給するための新しいカバーテープを巻回した第２供給リールと、前記搬送テープと前記新しいカバーテープとを圧着させる圧着手段とで構成したことを特徴とする書き込み装置。
【請求項２】
前記搬送テープの搬送を間欠的に行なうためのタイミング設定手段を設けたことを特徴とする請求項１に記載の書き込み装置。
【発明の詳細な説明】
【０００１】
【発明の属する技術分野】
本発明は、記録媒体に情報の書き込みを行なう書き込み装置に関する。
【０００２】
【従来の技術】
読み出し専用ＩＣと呼ばれている集積回路として、ＲＯＭがある。現在市販されているＲＯＭは、搬送テープと呼ばれる容器に収容されている。搬送テープは、長尺のテープに略等間隔に下方への凸部を形成することで上面に凹部を形成したものであり、ＲＯＭはこの凹部に収容され、ＲＯＭが凹部から出ないように搬送テープにはカバーテープと呼ばれる透明のテープが貼られて圧着されている。そしてＲＯＭを凹部に収容した搬送テープは、リールに巻かれた状態で市販されている場合が多い。
【０００３】
このようなＲＯＭを購入して特定の情報を記憶させるには書き込み装置が用いられる。従来の書き込み装置を用いて市販のＲＯＭに書き込みを行なうための手順を図２に基づいて説明する。搬送テープから取り出したＲＯＭをパーツフィーダ１に入れる一方、新しい搬送テープ２を巻回した供給リール３と、新しいカバーテープ４を巻回した供給リール５とをセットし、搬送テープ２の先端を巻き取りリール９に巻回する。パーツフィーダ１の内部で上下方向に整列されたＲＯＭ６は、水平方向および鉛直方向へ移動自在な移動台７の上に一列に並べられ、水平方向および鉛直方向へ移動自在な移送手段８のハンド８ａにより搬送テープ２の凹部２ａ内に入れられる。巻き取りリール９にはモータ１４が連動連結されており、モータ１４の回転により搬送テープ２は間欠的に巻き取りリール９に巻き取られる。そして、搬送テープ２が間欠的に移動するたびに、エアシリンダ１０のロッドに取り付けた接触子１１が降下してＲＯＭ６に書き込みが行なわれる。その後、供給リール５から供給されるカバーテープ４を搬送テープ２の上部に重ね合わせ、エアシリンダ１２のロッドに取り付けられた熱圧着器１３を降下させ、図３に斜線で示すようにカバーテープ４の両側を搬送テープ２に圧着させる。符号１５で示すのは、搬送テープ２を送るための孔である。上記の凹部２ａへのＲＯＭ６の挿入と、接触子１１による書き込みと、熱圧着器１３によるカバーテープ４の圧着と、が同時に行なわれるたびに間欠的に搬送テープ２が移動し、同じ作業が繰り返される。
【０００４】
従来技術に関連する先行技術文献情報としては、チップ型電子部品をエンボステープに挿入し、エンボステープにカバーテープを熱圧着してリールに巻き取るエンボステーピング機（以下に示す）がある。
【０００５】
【非特許文献１】
エンボステーピング機型式：ＨＭＡ−１１０、［ｏｎｌｉｎｅ］  、［平成１４年１１月１１日検索］、インターネット＜ＵＲＬ：ｈｔｔｐ：／／ｗｗｗ．ｂａｙｗｅｌｌ．ｎｅ．ｊｐ／ｕｓｅｒｓ／ｃｎｃ／ｐｔｍｃ／Ｈｍａ１１０−２．ＨＴＭ＞
【０００６】
【発明が解決しようとする課題】
ところが、搬送テープおよびカバーテープにより包装されてリールに巻かれたたＲＯＭをひとつずつ取り出してパーツフィーダに入れ、新しい搬送テープおよび新しいカバーテープをリールに巻いて取り付けなければならず、煩雑である。また、ＲＯＭをパーツフィーダから搬送テープの凹部に入れる機構が複雑となり、装置が大型化する。さらに、比較的少量のＲＯＭ、例えば搬送テープで包装された１巻き分程度のＲＯＭに書き込みを行なう場合には都合が悪い。
【０００７】
そこで本発明は、斯かる課題を解決した書き込み装置を提供することを目的とする。
【０００８】
【課題を解決するための手段】
斯かる目的を達成するための請求項１に係る書き込み装置の構成は、凹部に記録媒体が予め収容されてカバーテープが圧着された搬送テープを巻回した第１供給リールと、第１駆動手段に連動連結されると共に前記搬送テープを巻き取る第１巻き取りリールと、第２駆動手段に連動連結されると共に前記カバーテープを搬送テープから順に剥がして巻き取る第２巻き取りリールと、前記カバーテープを剥がして露出した記録媒体に書き込みを行なう書き込み手段と、書き込み後の記録媒体が収容された搬送テープの部分へ供給するための新しいカバーテープを巻回した第２供給リールと、前記搬送テープと前記新しいカバーテープとを圧着させる圧着手段とで構成したことを特徴とする。
【０００９】
斯かる書き込み装置では、市販の記録媒体が包装されている搬送テープから既存のカバーテープを剥がし、搬送テープの凹部内に露出した記録媒体に直接に書き込みを行ない、新しいカバーテープを搬送テープに圧着して記録媒体を再び包装する。
【００１０】
請求項２に係る書き込み装置の構成は、請求項１において、前記搬送テープの搬送を間欠的に行なうためのタイミング設定手段を設けたことを特徴とする。
【００１１】
斯かる書き込み装置では、間欠的に搬送が行なわれ、停止している間に、カバーテープの剥がしと、書き込みと、新しいカバーテープの圧着とが行なわれる。
【００１２】
【発明の実施の形態】
以下、本発明による書き込み装置の実施の形態を説明する。なお、従来の書き込み装置と同一部分には同一符号を付して説明する。
【００１３】
図１に示すように、市販されているＲＯＭであって、ＲＯＭ６を包装した搬送テープ２を巻回した供給リール（第１供給リール）１７が回転自在に取り付けられている。一方、搬送テープ２を巻き取る巻き取りリール（第１巻き取りリール）９が設けられ、巻き取りリール９にはモータ（第１駆動手段）１４が連動連結されている。そして、ＲＯＭ６が１個分ずつ間欠的に移動するように搬送テープ２を搬送するタイミングスプロケット（タイミング設定手段）１８が設けられている。
【００１４】
上記搬送テープ２からカバーテープ４を剥がすため一対の押さえ（剥離手段）１９ａ，１９ｂが設けられ、押さえ１９ａ，１９ｂの間において搬送テープ２から剥がされたカバーテープ４が補助ローラ２０を介して上方へ導かれ、巻き取りリール（第２巻き取りリール）２１に巻回されている。巻き取りリール２１にはモータ（第２駆動手段）２２が連動連結されている。
【００１５】
そして、搬送テープ２が間欠的に移動するたびにＲＯＭ６に書き込みを行なうためにエアシリンダ１０が設けられ、エアシリンダ１０のロッドに接触子（書き込み手段）１１が取り付けられている。
【００１６】
エアシリンダ１０の横には、購入時のカバーテープ４を剥いだ後の搬送テープ２の上面に新しいカバーテープ４を供給するための供給リール（第２供給リール）５が設けられ、新しいカバーテープ４は補助ローラ２３を介して搬送テープ２の上面に供給される。
【００１７】
補助ローラ２３の横にはエアシリンダ１２が設けられ、エアシリンダ１２のロッドには熱圧着器（圧着手段）１３が取り付けられている。この熱圧着器１３は、従来と同様に新しいカバーテープ４の両側を搬送テープ２に圧着させるものである。
【００１８】
次に、斯かる書き込み装置の作用を説明する。モータ１４の回転により、巻き取りリール９が時計方向へ回転し、供給リール１７に巻回された搬送テープ２が右方へ搬送される。これと同時に、モータ２２の回転により、巻き取りリール２１が反時計方向へ回転し、搬送テープ２から剥がされたカバーテープ４が巻き取りリール２１に巻回される。このとき、カバーテープ４のうちの搬送テープ２に張り付いている部分が上方へ引き上げられるが、搬送テープ２は一対の押さえ１９ａ，１９ｂによって押さえられているので、カバーテープ４が搬送テープ２から剥がされて上方へ移動する。
【００１９】
カバーテープ４が剥がされることによって搬送テープ２の凹部から露出したＲＯＭ６が搬送テープ２の移動に伴ってエアシリンダ１０の真下にくると、エアシリンダ１０のロッドが伸びて接触子１１がＲＯＭ６に接触し、ＲＯＭ６に書き込みが行なわれる。
【００２０】
書き込み後に搬送テープ２と共にＲＯＭ６が右方へ移動すると、新しいカバーテープ４の先端は搬送テープ２に圧着されているので、搬送テープ２の搬送に伴って新しいカバーテープ４も送り出され、凹部２ａに入っているＲＯＭ６を覆うようにして搬送テープ２にカバーテープ４が重なる。
【００２１】
搬送テープ２が更に右方へ移動すると、エアシリンダ１２のロッドが伸び、ロッドの先端に取り付けられた熱圧着器１３が、新しいカバーテープ４の両側を搬送テープ２に圧着させる。
【００２２】
このようにして搬送テープ２の凹部２ａにＲＯＭ６が入れられてカバーテープ４が圧着された搬送テープ２は、巻き取りリール９に巻き取られる。古いカバーテープ４の剥ぎ取りと、書き込みと、新しいカバーテープ４の圧着との３つの作業が同時に行なわれると、タイミングスプロケット１８が回転して搬送テープ２が１ピッチ（ＲＯＭ６の１個分の長さと対応する長さ）だけ間欠的に移動し、再び上記の３つの作業が行なわれるということが繰り返される。
【００２３】
つまり、搬送テープ２の凹部２ａにＲＯＭ６を入れてカバーテープ４を圧着してリールに巻回した状態の市販の供給リール１７から、カバーテープ４を剥いで、凹部２ａにＲＯＭ６が入った状態でＲＯＭ６に書き込みを行ない、その後に新しいカバーテープ４を搬送テープ２に圧着するのである。
【００２４】
なお、記録媒体としては、ＲＯＭに限らず、種々のものがある。
【００２５】
【発明の効果】
以上の説明からわかるように、従来は搬送テープおよびカバーテープに包装されてリールに巻回されていた記録媒体をひとつひとつ取り出してパーツフィーダに投入していたが、請求項１に係る書き込み装置によれば、記録媒体を包装した搬送テープが巻回された状態のリールを、市販の状態のままで装着すればよく、段取り時間が節約されるだけでなく、パーツフィーダから記録媒体をひとつひとつ取り出して搬送テープの凹部に入れるための複雑な装置が不要になる。また、搬送テープから記録媒体を出さないので記録媒体を破損する虞がなくなる。更に、搬送テープ１巻単位での小ロットの書き込みが行なえる。
【図面の簡単な説明】
【図１】本発明による書き込み装置の実施の形態１を示す構成図。
【図２】従来の書き込み装置の構成図。
【図３】従来の書き込み装置の要部に係り、（ａ）は平面図、（ｂ）は正面図。
【符号の説明】
２…搬送テープ
２ａ…凹部
４…カバーテープ
５，１７…供給リール
６…ＲＯＭ
９，２１…巻き取りリール
１１…接触子
１３…熱圧着器
１４，２２…モータ
１８…タイミングスプロケット
【図１】
2004168344.tif 000003
【図２】
2004168344.tif 000004
【図３】
2004168344.tif 000005